(57)【要約】【課題】必要の都度簡単に使える手持ちシールドを提供する。【解決手段】手持ちシールドＡは、シールド部１と、手で持つための手持ち部２とが一体に形成されている。シールド部１は、左右一対となる左シールド片１１および右シールド片１２とからなり、シールド部１の中央部下端は手持ち部２に連続して形成されている。シールド部１および手持ち部２は、紙製である。手持ち部２を手で持って顔の前に保持すると、顔の前と鼻の上を覆えるので、飛沫の発散も吸込みも防止できる。必要の都度簡単に使え、常時顔面に装着しておくわずらわしさから解放される。【選択図】図１
0003232186.tif 000002
【実用新案登録請求の範囲】
【請求項１】
シールド部と、
該シールド部を人の手で持つための手持ち部とが一体に形成されている
ことを特徴とする手持ちシールド。
【請求項２】
前記シールド部は、左右一対となる左シールド片および右シールド片とからなり、
該シールド部の中央部下端は前記手持ち部に連続して形成されている
ことを特徴とする請求項１記載の手持ちシールド。
【請求項３】
前記左シールド片は、左中央シールド部とその上の左上シールド部を有し、
前記右シールド片は、右中央シールド部とその上の右上シールド部を有し、
前記左シールド部と前記右シールド部は互いに係止できる係止手段を有している
ことを特徴とする請求項２記載の手持ちシールド。
【請求項４】
前記シールド部および前記手持ち部は、紙製である
ことを特徴とする請求項１記載の手持ちシールド。
【考案の詳細な説明】
【技術分野】
【０００１】
本考案は、手持ちシールドに関する。
【背景技術】
【０００２】
ウイルスの感染予防には人の口を覆うマスクまたはフェイスシールドの装着が効果的である。
【０００３】
特許文献１の従来技術は、装着者の口から飛散される呼気を他人に正面から直接放射せず、また他人からの呼気を直接正面から受けず、更にマスク本体を上に動かすことで、マスクを着けたまま飲食、会話することを可能にするフェイスシールドに似たマスクを提供している。このマスクは透明のポリプロビレンまたは塩化ビニール製のシートを型紙に沿って切り抜き、マスク本体１および額抑え２、マスク支え３を一体のものとして作成し、自分の口や相手の口から飛散される呼気が装着者のマスク本体に当たるよう構成されたものである。
【０００４】
しかるに、このマスクは顔面における眼の周り以外を覆うものであるため、装着や取り外しに手間がかかりわずらわしいものである。
【先行技術文献】
【特許文献】
【０００５】
【特許文献１】実用新案登録第３２２８９４３号公報
【考案の概要】
【考案が解決しようとする課題】
【０００６】
本考案は上記事情に鑑み、必要の都度簡単に使える手持ちシールドを提供することを目的とする。
【課題を解決するための手段】
【０００７】
第１考案の手持ちシールドは、シールド部と、該シールド部を人の手で持つための手持ち部とが一体に形成されていることを特徴とする。
第２考案の手持ちシールドは、第１考案において、前記シールド部は、左右一対となる左シールド片および右シールド片とからなり、該シールド部の中央部下端は前記手持ち部に連続して形成されていることを特徴とする。
第３考案の手持ちシールドは、第２考案において、前記左シールド片は、左中央シールド部とその上の左上シールド部を有し、前記右シールド片は、右中央シールド部とその上の右上シールド部を有し、前記左シールド部と前記右シールド部は互いに係止できる係止手段を有していることを特徴とする。
第４考案の手持ちシールドは、第１考案において、前記シールド部および前記手持ち部は、紙製であることを特徴とする。
【考案の効果】
【０００８】
第１考案によれば、手持ち部を手で持って顔の前に保持できるので、必要の都度簡単に使え、常時顔面に装着しておくわずらわしさから解放される。
第２考案によれば、左右一対のマスク保持片と握り部が一連に続いた部材なので、紙を素材として簡単に製作できる。
第３考案によれば、左上シールド部と右上シールド部とを係止手段で互いに係止すれば、使用時に鼻の上を覆う形状となるので、自分の飛沫の発散を防止でき、他人の飛沫の吸込みも防止できる。
第４考案によれば、紙製なので安価に製作できる。
【図面の簡単な説明】
【０００９】
【図１】本考案の一実施形態に係る手持ちシールドＡの正面図である。
【図２】本考案の一実施形態に係る手持ちシールドＡの裏面図である。
【図３】本考案の一実施形態に係る手持ちシールドＡの使用状態を示す説明図である。
【考案を実施するための形態】
【００１０】
つぎに、本考案の実施形態を図面に基づき説明する。
図１は使用時には非顔側となる手持ちシールドＡの正面を示し、図２は使用時には顔側になる手持ちシールドＡの裏面を示している。本明細書では左右は図２を基準としている。なお、手持ちシールドＡの正面はドットを付しており、裏面はドットを付さないで形状線のみを示している。
【００１１】
本実施形態の手持ちシールドＡは、図１および図２に示すように、シールド部１および手持ち部２とから構成される。
【００１２】
手持ち部２は、上記したシールド部１を顔面で保持するための手段である。
シールド部１は、左右一対となる左シールド片１１および右シールド片１２とからなり、左シールド片１１および右シールド片１２は手持ち部２に連続するように形成されている。
【００１３】
手持ちシールドＡは、上記のように一体に連なった部材であり、素材は紙や樹脂シートなどが利用できる。
手持ちシールドＡは手で持った状態で、その形状を維持できる程度の剛性をもつことが望ましく、そのため、紙や樹脂シートは多少とも厚みのある厚紙か厚手の樹脂シートとすることが好ましい。
【００１４】
左シールド片１１と右シールド片１２との間、すなわちシールド部１の中央には縦向きの中央谷折り線２０が形成されている。
左シールド片１１の左端から少し内側に入った位置には縦向きの第１谷折り線２１が形成されている。
右シールド片１２の右端から少し内側に入った位置には縦向きの第２谷折り線２２が形成されている。
【００１５】
左シールド片１１の上縁において第１谷折り線２１と交差する位置から中央谷折り線２０に向けて延びる第３谷折り線２３が形成されている。この第３谷折り線２３は中央谷折り線２０に向けて下向きに傾斜した線である。
右シールド片１２の上縁において第２谷折り線２２と交差する位置から中央谷折り線２０に向けて延びる第４谷折り線２４が形成されている。この第４谷折り線２４は中央谷折り線２０に受けて下向きに傾斜した線である。
【００１６】
左シールド片１１のうち、中央谷折り線２０と第１谷折り線２１と第３谷折り線２３で囲まれた部分が、左中央シールド部１３であり、第１谷折り線２１の外側が左端シールド部１５であり、第３谷折り線２３より上の部分が左上シールド部１７である。
右シールド片１２のうち、中央谷折り線２０と第２谷折り線２２と第４谷折り線２４で囲まれた部分が右中央シールド部１４であり、第２谷折り線２２の外側が右端シールド部１６であり、第４谷折り線２４より上の部分が右上シールド部１８である。
【００１７】
左上シールド部１７において波形の切込みで形成された山形状部分は引掛け片３１である。右上シールド部１８において直線状の切込みで形成されたものは差込み部３２である。後述するように、引掛け片３１は差込み部３２に差し込まれ、折り曲げられた左上シールド部１７と右上シールド部１８を互いに係止する係止手段を構成する。
【００１８】
図１および図２に示す丸数字（１から３）は、使用者のために示した谷折りの順番を示すものであり、商品としては表示しておくのが好ましい。ただし、この丸文字を付したものも付さないものも本件考案に含まれる。
【００１９】
本実施形態の手持ちシールドＡは、中央谷折り線２０で軽く折り曲げると、左右の中央シールド部１３，１４で人の顔の前面を覆うようになる。さらに、第１谷折り線２１および第２谷折り線２２で更に軽く折り曲げると、人の顔の左右両側面を左端シールド部１５および右端シールド部１６で覆う形となる。ついで、第３谷折り線２３と第４谷折り線２４を軽く曲げ、引掛け片３１を差込み部３２に差し込むと、左上シールド部１７と右上シールド部１８が鼻の上を覆うと共に、手持ちシールドＡの折り曲げ形状が保持される。このため、使用時に鼻の上を覆う形状となるので、自分の飛沫の発散を防止でき、他人の飛沫の吸込みを防止できる。
【００２０】
図３に示すように、折り曲げ状態の手持ちシールドＡを手で持って顔の前に保持して使用する。そうすると、会食の場で隣席の人と会話する間に、飛沫を飛ばすのを防止できる。
そして、図３に示すように、手持ち部２を手で持ってシールド部１を顔面に保持できるので、必要の都度簡単に使え、常時顔面に装着しておくわずらわしさから解放される。
【００２１】
本実施形態の手持ちシールドＡは、シールド部１と手持ち部２が一連に続いた部材なので、紙や樹脂シートを素材として簡単に製作できる。
また、素材を紙とすると安価に製作できる。
【符号の説明】
【００２２】
Ａ  手持ちシールド
１  シールド部
２  手持ち部
１１  左シールド片
１２  右シールド片
１３  左中央シールド部
１４  右中央シールド部
１５  左端シールド部
１６  右端シールド部
１７  左上シールド部
１８  右上シールド部
２０  中央谷折り線
２１  第１谷折り線
２２  第２谷折り線
２３  第３谷折り線
２４  第４谷折り線
３１  引掛け片
３２  差込み部
【図１】
0003232186.tif 000003
【図２】
0003232186.tif 000004
【図３】
0003232186.tif 000005